(57)【要約】【課題】文書に埋め込まれたＩＣタグの情報が取得できた場合に、読み取り動作を可能として、当該文書の画像を読み取り、記憶、出力する。【解決手段】信号入力判定部７３０は、バッファメモリ４１０に画像が入力されたことを検知するとともに、ＩＣタグリーダ／ライタ６４０の制御回路部６７０がＩＣタグ６５０から電波を受信したことを検知すると、検知信号を出力し、ＣＰＵ７４０は、信号入力判定部７３０が出力した検知信号により、ＩＣタグ６５０が埋め込まれた原稿用紙１４０から画像が読み取られたと判断し、それに応じて画像入出力コントローラ４８０を制御して、バッファメモリ４１０に格納された画像データをプリンタ等の外部機器に出力する。【選択図】図１２
2009100341.tif 000002
【特許請求の範囲】
【請求項１】
原稿画像を読み取る読取部と、
原稿に組み込まれたＩＣタグの情報を受信する受信部と、
前記読取部が読み取った画像データを記憶する記憶部と、
前記受信部の受信及び前記読取部の画像の読み取りが、同一の原稿に組み込まれたＩＣタグ及び原稿の画像から受信及び読み取りが行われたことを判別する判別部と、
前記判別部の出力結果に基づき前記記憶部に記憶された画像データを出力する制御部とを含む画像読取装置。
【請求項２】
前記判別部が、前記受信部の受信及び前記読取部の画像の読み取りが、同一の原稿に組み込まれたＩＣタグ及び原稿の画像から受信及び読み取りが行われたものであると判別した場合に、前記記憶部に記憶された画像データの出力を許可する制御部とを含む請求項１記載の画像読取装置。
【請求項３】
前記判別部が、前記受信部の受信及び前記読取部の画像の読み取りが、同一の原稿に組み込まれたＩＣタグ及び原稿の画像から受信及び読み取りが行われたものでないと判別した場合に、前記記憶部に記憶された画像データの出力を禁止する制御部とを含む請求項１記載の画像読取装置。
【請求項４】
前記判別部の出力により、前記受信部の受信及び前記読取部の画像の読み取りが、同一の原稿に組み込まれたＩＣタグ及び原稿の画像から受信及び読み取りが行われたものでない場合に、前記記憶部に記憶された画像データを消去する制御部とを含む請求項１記載の画像読取装置。
【請求項５】
前記読取部は、給紙された原稿を搬送する搬送路と、前記搬送路から複数の排紙路に分岐する分岐部を有し、前記読取部と前記受信部は、前記搬送路に設けられていることを特徴とする請求項１乃至請求項４記載の画像読取装置。
【請求項６】
前記読取部は、原稿載置面と、一端を前記原稿載置面の一端に回動自在に取り付けられ、前記原稿載置面を覆うことが可能に設けられたＡＤＦ（オートドキュメントフィーダ）により構成され、前記受信部が前記ＡＤＦの原稿に向かい合う面に設けられたことを特徴とする請求項１乃至請求項４記載の画像読取装置。
【請求項７】
原稿画像を読み取る読取部と、
原稿に組み込まれたＩＣタグの情報を受信する受信部と、
前記読取部が読み取った画像データを記憶する記憶部と、
前記受信部の受信及び前記読取部の画像の読み取りが、同一の原稿に組み込まれたＩＣタグ及び原稿の画像から受信及び読み取りが行われたことを判別する判別部と、
前記判別部の出力結果に基づき前記記憶部に記憶された画像データを出力する制御部とを含む画像処理システム。
【請求項８】
前記判別部が、前記受信部の受信及び前記読取部の画像の読み取りが、同一の原稿に組み込まれたＩＣタグ及び原稿の画像から受信及び読み取りが行われたものであると判別した場合に、前記記憶部に記憶された画像データの出力を許可する制御部とを含む請求項７記載の画像処理システム。
【請求項９】
前記判別部が、前記受信部の受信及び前記読取部の画像の読み取りが、同一の原稿に組み込まれたＩＣタグ及び原稿の画像から受信及び読み取りが行われたものでないと判別した場合に、前記記憶部に記憶された画像データの出力を禁止する制御部とを含む請求項７記載の画像処理システム。
【請求項１０】
前記判別部の出力により、前記受信部の受信及び前記読取部の画像の読み取りが、同一の原稿に組み込まれたＩＣタグ及び原稿の画像から受信及び読み取りが行われたものでない場合に、前記記憶部に記憶された画像データを消去する制御部とを含む請求項７記載の画像処理システム。
【請求項１１】
前記読取部は、給紙された原稿を搬送する搬送路と、前記搬送路から複数の排紙路に分岐する分岐部を有し、前記読取部と前記受信部は、前記搬送路に設けられていることを特徴とする請求項７乃至請求項１０記載の画像処理システム。
【請求項１２】
前記読取部は、原稿載置面と、一端を前記原稿載置面の一端に回動自在に取り付けられ、前記原稿載置面を覆うことが可能に設けられたＡＤＦ（オートドキュメントフィーダ）により構成され、前記受信部が前記ＡＤＦの原稿に向かい合う面に設けられたことを特徴とする請求項７乃至請求項１０記載の画像処理システム。
【発明の詳細な説明】
【技術分野】
【０００１】
本発明は、原稿画像に埋め込まれた暗号鍵、原稿やカード等の媒体に埋め込まれたＩＣタグを読み取り可能な画像読取装置に関する。
【背景技術】
【０００２】
各種の文書を大量に読み取って、例えば電子ファイリングするための画像読取装置として、従来からイメージスキャナが利用されている。このイメージスキャナは、大判の用紙を手差ししてガラスのプラテン上にセットして読み取るフラットベッド式のものに、比較的小さいサイズの用紙を自動的に給紙する自動給紙装置（ＡＤＦ）を組み合わせたものが知られている。図１３は従来の画像読み取り装置の概略図である。
【０００３】
図１３（ａ）に示すように、画像読み取り装置はその本体１０の上面に透明ガラスを利用したプラテン２０を備えると共に、このプラテン２０を避けた位置に自動給紙装置３０を配置したものであり、プラテン２０の上には用紙をプラテン２０に載せたときに被せる原稿カバー４０を取り付けている。この原稿カバー４０は自動給紙装置３０側を回動支点として本体１０に連接されて図中の二点鎖線で示す矢印方向に開閉操作できるもので、プラテン２０への用紙の手差しは本体１０の右側から行われる。プラテン２０は前述のように比較的大判の用紙を手差しで載せて使用するもので、用紙を１枚ずつ取り扱う作業となる。
【０００４】
一方、自動給紙装置３０は用紙を束にしたものをそのままトレイ部分に載せ、用紙を１枚ずつ画像読み取り部へ供給して自動的に用紙の画像を読み取る。そして、本体１０の内部には、プラテン２０の上の用紙及び自動給紙装置３０からの用紙から画像を走査して読み取る走査モジュール５０が組み込まれる。
【０００５】
走査モジュール５０は本体１０内で図１３（ａ）に示す矢印方向に往復移動可能に配置したキャリッジ（図示せず）に搭載されたもので、自動給紙装置３０を使用するときには本体１０内の左端部の定位置に停止する。即ち、自動給紙装置３０による用紙の送りを利用することで、走査点を固定していても画像読み取りが可能なので、走査モジュール５０は自動給紙装置３０の位置に対応させて保持される。
【０００６】
一方、プラテン２０による大判の用紙の画像読み取りでは用紙は固定されているので、図１３（ｂ）に示すように、走査モジュール５０は自動給紙装置３０を使用するときの停止位置から一点鎖線の矢印方向に移動して走査し、その後再び元の位置に戻る動作を繰り返す。
【０００７】
一方、社団法人情報処理学会ホームページには、文字情報（氏名，国籍，生年月日，旅券番号など）に加え，機械による本人認証が可能な生体情報データ，即ち顔写真等のバイオメトリクス情報をＩＣチップに埋め込んだ電子パスポート等の技術が開示されている。
【特許文献１】特開２０００−１７４９８９号公報
【非特許文献１】社団法人情報処理学会  ホームページ  ｈｔｔｐ：／／ｗｗｗ．ｉｔｓｃｊ．ｉｐｓｊ．ｏｒ．ｊｐ／ｔｏｐｉｃｓ／ｐａｓｓｐｏｒｔ．ｈｔｍｌ
【発明の開示】
【発明が解決しようとする課題】
【０００８】
解決しようとする問題点は、従来のフラットベッドスキャナでは、秘密文書等を誰でも簡単に読み取って文書データ化することができる点である。
【０００９】
本発明は、フラットベッドスキャナまたはＡＤＦ付きスキャナにおいて、原稿その他の媒体に組み込まれたＩＣタグを読み取る機能を搭載したことを特徴とする。
【課題を解決するための手段】
【００１０】
上記課題を解決するため、本願発明に係る画像読取装置は、原稿画像を読み取る読取部と、原稿に組み込まれたＩＣタグの情報を受信する受信部と、前記読取部が読み取った画像データを記憶する記憶部と、前記受信部の受信及び前記読取部の画像の読み取りが、同一の原稿に組み込まれたＩＣタグ及び原稿の画像から受信及び読み取りが行われたことを判別する判別部と、前記判別部の出力結果に基づき前記記憶部に記憶された画像データを出力する制御部とを含む構成とした。
【発明の効果】
【００１１】
本発明に係る画像読取装置は、上記の構成を採用することにより、重要事項、秘密事項が記載された文書を読み取る際、文書に埋め込まれたＩＣタグの情報が取得できた場合に、読み取り動作を可能として、当該文書の画像を読み取り、記憶、出力することができる。
【００１２】
従って、ＩＣタグが埋め込まれていないか若しくはＩＣタグに不真正情報が記憶されている等の偽造文書等の読み取りを防止することができるという効果を奏する。
【発明を実施するための最良の形態】
【００１３】
以下、下記の項目の順で、本願発明の実施の形態を説明する。
１．画像読取装置の概略
２．複合機の構成
３．画像処理回路の構成
４．ＩＣタグリーダの信号処理
５．判定回路の構成
（実施の形態１）
１．画像読取装置の概略
以下、本発明の実施の形態１について図面に基づき説明する。
【００１４】
図１は本発明に係る画像読取装置の概略を示す斜視図である。
【００１５】
図１において、画像読取装置は、光学系の走査モジュール（後述）を内蔵した本体６０とその上面に開閉自在に取り付けた原稿カバー７０と、原稿用紙１４０を搭載してこれを自動給紙する自動給紙装置８０とから構成されている。
【００１６】
原稿カバー７０は、自動給紙装置８０から繰り出されて画像読み取りされた原稿用紙１４０を受け取る回収トレイ１２０を上面に設けている。
【００１７】
自動給紙装置８０は、ハウジング１３０とその上端側に取り付けたホッパユニット１５０とから構成されている。ホッパユニット１５０には、原稿用紙１４０を搭載する給紙ホッパ１６０を備えている。
【００１８】
ここで、以下に説明する原稿用紙１４０は、通常の紙媒体の他、ＯＨＰシート、免許証、クレジットカード等の他、一般のスキャナで読み取ることが可能なすべての媒体を含む。
【００１９】
図２は本発明に係る画像読取装置の本体から原稿カバー及び自動給紙装置を開いたときの斜視図である。
【００２０】
図２において、本体６０はその正面に操作パネル９０を備えると共に全ての作動機器を制御可能なコントローラ（図示せず）を内蔵し、その上面には手差しで載置された大判の原稿用紙１４０等を読み取るための透明ガラスを利用したプラテン１００と、その奥側に配置され同様に透明ガラスのスリット窓１１０を配置している。
【００２１】
プラテン１００は、本体６０の奥側（操作パネル９０と反対側）を除く領域を占めるように配置され、本体６０の奥側に原稿カバー７０と自動給紙装置８０の基端がそれぞれ開閉自在に取り付けられている。そして、これらの原稿カバー７０と自動給紙装置８０は一体にして開くことができ、このように原稿カバー７０を開いたときにプラテン１００の上に原稿用紙１４０を手差しで載せることができる。
【００２２】
プラテン１００の内部（下部）には、ＩＣタグリーダー２４０、２５０が配置されている。ＩＣタグリーダは少なくとも一つ設けられていればよいが、原稿用紙１４０には、Ｂ４版の他、Ａ５版、カードサイズ、名刺サイズ等の色々なサイズがあるので、いずれのサイズの原稿用紙１４０に埋め込まれたＩＣタグ２８０に格納された情報をも的確に読み取ることが可能なように、原稿用紙１４０に埋め込まれたＩＣタグ２８０の近傍の適切な位置に複数設けることが好ましい。
【００２３】
図３は本発明に係る画像読取装置の自動給紙装置と走査モジュールの配置を示す要部の概略縦断面図であり、図１及び図２で説明した画像読取装置の断面説明図である。
【００２４】
図３において、ハウジング１３０には、給紙ローラ１７０が設けられ、給紙ホッパ１６０上に載置された原稿用紙１４０の繰り出し端の上方に配置され原稿用紙１４０をピックアップして繰り出す。
【００２５】
給紙ローラ１７０の直ぐ下流に重送防止用の分離ローラ１８０とリタードローラ１９０の対を配置している。給紙ローラ１７０によりピックアップされた原稿用紙１４０は、搬送方向に回転する分離ローラ１８０により搬送され、重送された場合は、リタードローラ１９０が搬送方向と逆回転し、余分な原稿用紙１４０の搬送を防止する。
【００２６】
搬送路２００は、本体６０の上面の近くから下方向に迂回して原稿カバー７０の回収トレイ１２０に向かう経路を形成し、搬送路２００に沿って複数の搬送ローラ２１０を設けている。
【００２７】
本体６０の内部には、原稿用紙１４０の画像を読み取るための走査モジュール２２０を設ける。この走査モジュール２２０は、従来の画像読み取り装置のものと同様にＣＣＤを利用した縮小光学画像読み取り系を内蔵したものである。
【００２８】
搬送路２００を搬送されてきた原稿用紙１４０は、図２でも説明したスリット窓１１０を印字面を下にして通過するため、走査モジュール２２０がスリット窓１１０を通過する原稿用紙１４０の印字面を光学的に読み取る。
【００２９】
その後、原稿用紙１４０は排紙ローラ２１５により、回収トレイ１２０に排紙される。
【００３０】
また、走査モジュール２２０は本体６０の正面の操作パネル９０の近傍から本体６０の背面の近傍までの間に配置したガイド２３０に沿って移動するキャリッジ式とすることができるので、図２で説明したように、原稿用紙１４０をプラテン１００に載置して読み取る場合は、図３の初期位置にあった走査モジュール２２０がガイド２３０に沿って図３の紙面左右方向に移動しながら原稿用紙１４０の画像を光学的に読み取る。
【００３１】
尚、走査モジュール２２０を移動させるためのモータ等の駆動機構は図示していないが、従来のキャリッジ式と同様の駆動系とすればよく、その動作はコントローラによって制御されるものとする。
【００３２】
搬送路２００の途中には、後に詳述する通り、ＩＣタグリーダ２６０、２７０が設けられている。個数は一つでもよいが、原稿用紙１４０に埋め込まれたＩＣタグ２８０の位置に応じて２つのＩＣタグリーダ２６０、２７０、若しくはそれ以上とすることも可能である。
【００３３】
また、ＩＣタグリーダ２６０、２７０は、図３に示す位置の他、原稿用紙１４０が搬送される前段階のホッパユニット１５０に載置されている状態でＩＣタグ２８０の情報を読み取ることを可能とするため、給紙ローラ１７０の上流側に設けることも可能であり、その他、搬送路２００の途上、若しくは原稿用紙１４０が回収トレイ１２０に排紙されるまでの途上のいずれに設けることも考えられる。
【００３４】
図３において、図２で説明したように、手差しで読み取りを行う場合、プラテン１００上に原稿用紙１４０を載置し、原稿カバー７０を下ろして図１に示す状態し、ユーザーが読み取り指示を出すと、図３の初期位置にあった走査モジュール２２０がガイド２３０に沿って図３の紙面左右方向に移動しながら原稿用紙１４０の画像を光学的に読み取る。それと共に、原稿用紙１４０に埋め込まれたＩＣタグ２８０に記憶された諸情報が、図２のＩＣタグリーダ２４０，２５０により読み取られ、後述する記憶部に記憶される。
【００３５】
後述する制御手段は、ＩＣタグリーダ２４０，２５０による原稿用紙１４０のＩＣタグ２８０の情報の読み取りと、走査モジュール２２０による原稿用紙１４０の印字面の読み取りとが、同一の原稿用紙１４０から行われたことを、後述する判別部が判別した場合、記憶部に記憶された画像データを出力する。
【００３６】
図３において、図１で説明したように、自動給紙装置８０より原稿用紙１４０を自動給紙して読み取りを行う場合、ユーザーが読み取り指示を出すと、給紙ローラ１７０が原稿用紙１４０をピックアップし、分離ローラ１８０、リタードローラ１９０に搬送され、搬送ローラ２１０により搬送路２００を搬送される。搬送路２００を搬送されてきた原稿用紙１４０は、図２でも説明したスリット窓１１０を印字面を下にして通過するため、走査モジュール２２０がスリット窓１１０を通過する原稿用紙１４０の印字面を光学的に読み取り、その後、原稿用紙１４０は排紙ローラ２１５により、回収トレイ１２０に排紙される。
【００３７】
搬送の途中、原稿用紙１４０に埋め込まれたＩＣタグ２８０に記憶された諸情報が、搬送路２００の途中に設けられたＩＣタグリーダ２６０，２７０により読み取られ、後述する記憶部に記憶される。
【００３８】
後述する制御手段は、ＩＣタグリーダ２６０，２７０による原稿用紙１４０のＩＣタグ２８０の情報の読み取りと、走査モジュール２２０による原稿用紙１４０の印字面の読み取りとが、同一の原稿用紙１４０から行われたことを、後述する判別部が判別した場合、記憶部に記憶された画像データを出力する。
【００３９】
図４は本発明に係る画像読取装置で読み取る原稿媒体を説明する図である。
【００４０】
図４において、原稿用紙１４０には、外部から電力供給及びデータの書き込み／読み出しが無線により行われる微小なＩＣチップによるＩＣタグ（またはＲＦＩＤ）２８０がその４角の内のいずれか少なくとも一つの角に装着されている（埋め込まれている）。
【００４１】
尚、ＩＣタグ２８０は、原稿用紙１４０に対して粘着テープ、ループとフックを組み合わせたファスナ、凹部と凸部の嵌合構造等を用いて着脱自在に取り付けてもよく、原稿用紙１４０内に埋め込む構造でもよい。
【００４２】
ＩＣタグリーダ２４０は、原稿用紙１４０やその他のカード等に埋め込まれているＩＣタグ２８０に記憶（格納）されている情報を非接触で読み出す。具体的には、ＩＣタグリーダ２４０は、アンテナ２９０を介して、数Ｈｚ帯のマイクロ波を放射する。
【００４３】
ＩＣタグ２８０は、ＩＣタグリーダ２４０が発射したマイクロ波を受信すると、自己整流を電力源として動作し、内部メモリに格納されている用紙情報（１２８ビットのデータ）をＩＣタグリーダ２４０に無線で送り返す。ここで、用紙情報は、例えばヘッダ、識別子、その他の機密情報、個人情報等から構成される。尚、ＩＣタグリーダ２４０及びＩＣタグ２８０の基本構成は公知であり、その説明はここでは省略する。
【００４４】
図５、図６は本発明に係る画像読取装置の搬送路に設けられたＩＣタグの説明図である。
【００４５】
図５は、ホッパユニット１５０を上から見た図であり、図３で説明した通り、ホッパユニット１５０に載置された原稿用紙１４０は自動給紙装置８０内の給紙ローラ１７０によりピックアップされて矢印で示す搬送方向に搬送路２００を搬送される。搬送路２００の途中にはＩＣタグリーダ２６０またはＩＣタグリーダ２７０が設けられ、原稿用紙１４０に埋め込まれたＩＣタグ２８０に格納された情報を非接触で読み取る。
【００４６】
原稿用紙１４０を、図５に示すように横向きに載置する場合、ＩＣタグ２８０は原稿用紙１４０の四隅のいづれかに埋め込まれているので、ＩＣタグリーダ２６０，２７０もＩＣタグ２８０の位置に対応した位置の近傍に配されることが好ましい。
【００４７】
また、図６に示すように、原稿用紙１４０を縦向きに載置することも考えられるので、ＩＣタグリーダ２６０，２７０も、図５に示した位置の他、より中央位置に複数設けることも好ましい。
【００４８】
その他、Ｂ４版の他、Ａ４、Ａ５、カードサイズ、名刺サイズ等のあらゆるサイズの原稿用紙１４０に対応する必要があるため、それぞれに対応した位置にＩＣタグリーダ２６０，２７０を設けることが好ましい。
２．複合機（画像処理システム）の構成
図７は本発明に係る画像読取装置を搭載した複合機の概略構成を示す斜視図である。
【００４９】
図７において、複合機（  画像形成装置）３００は、スキャナ機能の他、プリンタ機能、ファクシミリ機能、コピー機能等の複数の機能を備えた画像処理システムを構成する複合機器であり、図１で説明した原稿カバー７０、自動給紙装置８０、ハウジング１３０及びホッパユニット１５０から構成される画像読取装置３１０及び印字装置３２０から主として構成されている。
【００５０】
尚、画像処理システムの構成としては、上記複合機３００に加え、これに接続されたディスプレイ装置、ネットワーク接続されたパソコン端末等を含み得る。
【００５１】
画像読取装置３１０の構成は図１乃至図３で説明してきたものと基本的に同様であり、原稿用紙１４０を載置するためのプラテン１００と、プラテン１００を覆う開閉自在の原稿カバー７０の他、ハウジング１３０とその上端側に取り付けたホッパユニット１５０とから構成される自動給紙装置８０を備える。２４０はＩＣタグリーダであり、図２で説明したものと同様に、少なくとも一つ設けられていればよいが、原稿用紙１４０には、Ｂ４版の他、Ａ５版、カードサイズ、名刺サイズ等の色々なサイズがあるので、いずれのサイズの原稿用紙１４０に埋め込まれたＩＣタグ２８０に格納された情報をも的確に読み取ることが可能なように、原稿用紙１４０に埋め込まれたＩＣタグ２８０の近傍の適切な位置に複数設けることが好ましい。
【００５２】
図８は本発明に係る画像読取装置を搭載した複合機の内部構成の一部を示す概略図である。
【００５３】
図８において、画像読取装置３１０は、図１で説明した原稿カバー７０、自動給紙装置８０、ハウジング１３０及びホッパユニット１５０から構成され、図１乃至図３で説明してきたものと基本的に同様である。
【００５４】
その他、搬送路２００の途中には、後に詳述する通り、ＩＣタグリーダ２６０、２７０が設けられている。個数は一つでもよいが、原稿用紙１４０に埋め込まれたＩＣタグ２８０の位置に応じて２つのＩＣタグリーダ２６０、２７０、若しくはそれ以上とすることも可能である。
【００５５】
また、ＩＣタグリーダ２６０，２７０は、図３に示す位置の他、原稿用紙１４０が搬送される前段階のホッパユニット１５０に載置されている状態でＩＣタグ２８０の情報を読み取ることを可能とするため、給紙ローラ１７０の上流側に設けることも可能であり、その他、搬送路２００の途上、若しくは原稿用紙１４０が回収トレイ１２０に排紙されるまでの途上のいずれに設けることも考えられる。
【００５６】
次に、印字装置３２０は、画像読取装置３１０で読み取った原稿用紙１４０の画像をトナーで記録紙上に形成するために、給紙トレイ３６０、感光体ドラム３３０及びその周辺装置から構成される画像形成部３４０と、この記録紙上に形成されたトナー像を定着させるための定着部３５０とを主として備える。
【００５７】
更に、図示しないが、上記複合機３００は、読み取った画像データのファクシミリ送信等を行うための通信装置及び読み取った画像データのファイリングを行うためのファイリング装置を備えており、周知の複合機と同様に、コピー処理、ファクシミリ通信処理、及びファイリング処理等を選択的に実行することが可能である。
【００５８】
図８において、スキャナ機能を選択した場合の動作を説明する。
【００５９】
図３において、図２で説明したように、手差しで読み取りを行う場合、プラテン１００上に原稿用紙１４０を載置し、原稿カバー７０を下ろして図１に示す状態し、ユーザーが読み取り指示を出すと、図３の初期位置にあった走査モジュール２２０がガイド２３０に沿って図３の紙面左右方向に移動しながら原稿用紙１４０の画像を光学的に読み取る。それと共に、原稿用紙１４０に埋め込まれたＩＣタグ２８０に記憶された諸情報が、図２のＩＣタグリーダ２４０，２５０により読み取られ、後述する記憶部に記憶される。
【００６０】
後述する制御手段は、ＩＣタグリーダ２４０，２５０による原稿用紙１４０のＩＣタグ２８０の情報の読み取りと、走査モジュール２２０による原稿用紙１４０の印字面の読み取りとが、同一の原稿用紙１４０から行われたことを、後述する判別部が判別した場合、記憶部に記憶された画像データを出力する。
【００６１】
以上の動作は、自動給紙装置８０により原稿用紙１４０の読み取りを行う場合も同様である。
【００６２】
図８において、コピー機能を選択した場合の動作を説明する。
【００６３】
図３と同様、ホッパユニット１５０上に載置された原稿用紙１４０はハウジング１３０の給紙ローラ１７０によりピックアップされ、搬送方向に回転する分離ローラ１８０により搬送される。その際、原稿用紙１４０に埋め込まれたＩＣタグ２８０に記憶された諸情報が搬送路２００の途中に設けられたＩＣタグリーダ２６０、２７０により読み取られ、後述する記憶部に記憶される。
【００６４】
その後、搬送路２００を搬送されてきた原稿用紙１４０は、図２でも説明したスリット窓１１０を印字面を下にして通過する。走査モジュール２２０はガイド２３０に沿って紙面左端、スリット窓１１０の真下に移動し停止待機するので、スリット窓１１０を通過する原稿用紙１４０の印字面を光学的に読み取る。
【００６５】
後述する制御部は、ＩＣタグリーダ２６０、２７０による原稿用紙１４０のＩＣタグ２８０の情報の読み取りと、走査モジュール２２０による原稿用紙１４０の印字面の読み取りとが、同一の原稿用紙１４０から行われたことを、後述する判別部が判別した場合、前記記憶部に記憶された画像データを出力する。
【００６６】
判別部がＩＣタグリーダ２６０、２７０による原稿用紙１４０のＩＣタグ２８０の情報の読み取りと、走査モジュール２２０による原稿用紙１４０の印字面の読み取りとが、同一の原稿用紙１４０から行われたことを判別し、制御部が記憶部に記憶された画像データを出力することを決定すると、印字装置３２０の給紙トレイ３６０から給紙された用紙（図示せず）に、感光体ドラム３３０及びその周辺装置から構成される画像形成部３４０により、記憶部に記憶された原稿用紙１４０のコピー画像が印字され、定着部３５０により定着されて、排紙トレイ３７０に排出される。
【００６７】
次に、図８において、ファクシミリ送信機能を選択した場合の動作を説明する。
【００６８】
図３と同様、ホッパユニット１５０上に載置された原稿用紙１４０はハウジング１３０の給紙ローラ１７０によりピックアップされ、搬送方向に回転する分離ローラ１８０により搬送される。その際、原稿用紙１４０に埋め込まれたＩＣタグ２８０に記憶された諸情報が搬送路２００の途中に設けられたＩＣタグリーダ２６０、２７０により読み取られ、後述する記憶部に記憶される。
【００６９】
その後、搬送路２００を搬送されてきた原稿用紙１４０は、図２でも説明したスリット窓１１０を印字面を下にして通過する。走査モジュール２２０はガイド２３０に沿って紙面左端、スリット窓１１０の真下に移動し停止待機するので、スリット窓１１０を通過する原稿用紙１４０の印字面を光学的に読み取る。
【００７０】
後述する制御部は、ＩＣタグリーダ２６０、２７０による原稿用紙１４０のＩＣタグ２８０の情報の読み取りと、走査モジュール２２０による原稿用紙１４０の印字面の読み取りとが、同一の原稿用紙１４０から行われたことを、後述する判別部が判別した場合、記憶部に記憶された画像データを出力する。
【００７１】
判別部がＩＣタグリーダ２６０、２７０による原稿用紙１４０のＩＣタグ２８０の情報の読み取りと、走査モジュール２２０による原稿用紙１４０の印字面の読み取りとが、同一の原稿用紙１４０から行われたことを判別し、制御部が記憶部に記憶された画像データを出力することを決定すると、複合機３００に設けられた周知の通信装置が、ユーザーが指定する送信先に記憶部に記憶された画像データを送信する。
３．画像処理回路の構成
次に、本発明に係る画像読取装置の画像処理を説明する。
【００７２】
図９は本発明に係る画像読取装置の制御ブロック図である。図９において、３９０はＣＣＤ３８０からの出力信号（アナログ信号）をディジタル信号に変換するＡ／Ｄ変換部であり、４００はディジタルデータに対してシェーディング・色補正・解像度変換等の画像処理を施す画像処理部である。４１０はバッファメモリであり、画像データを一時的に保持する。４２０はＣＰＵであり、画像処理部４００の処理モード設定やバッファメモリ４１０の初期化等を行う。４３０はコントローラであり、バッファメモリ４１０内に格納された画像データを例えば外部機器４４０に出力する。
【００７３】
次に、本発明に係る画像読取装置の画像処理の詳細を説明する。
【００７４】
図１０は本発明に係る画像読取装置の制御ブロック図であり、図９で説明した制御ブロック図の詳細図である。
【００７５】
図１０において、４５０はラインセンサとしてのＣＣＤ３８０からの出力を増幅するアンプ、４６０は図９のＡ／Ｄ変換部３９０に相当し、増幅されたアナログ出力をディジタルに変換するＡ／Ｄコンバータ、４７０は、図９の画像処理部４００の一例であり、一様な濃度の原稿に対して、一様な出力を得るよう正規化補正するシェーディング補正回路、４８０はバッファメモリ４１０上の出力を外部機器４４０へＣＰＵ４２０を介さずに直接高速に画像データの転送を制御する画像入出力コントローラ、４９０は、画像データがバッファメモリ４１０に書き込まれるときはそのデータ数だけ増加し、外部機器４４０へ転送されたときにはそのデータ数だけ減少するバッファカウンタ、また、５００はＣＣＤ３８０を駆動する回路で、ＣＣＤ３８０へ副走査位置ライン毎のライン同期信号５１０と画素毎の画素クロック５２０を生成している。
【００７６】
５３０は水平同期信号生成回路で水晶発振器５４０からの基準クロック信号５５０を読み取り解像度で決められたカウントに分周して、基準クロック分周信号を発生し、かつ、ＣＰＵ４２０からの再同期化信号５６０で水平同期信号５７０の発生タイミングをリセットする機能を有する。
【００７７】
また、５８０はＣＰＵ４２０が出力するディジタル値をアナログレベルに変換するＤ／Ａコンバータであり、モータドライバ５９０を制御し、ＤＣモータ６００の回転方向及び回転速度を変化させることができる。
【００７８】
６１０は距離計測手段としてのモータエンコーダであり、ＤＣモータ６００の回転に伴い、２相のモータエンコーダパルスを発生する。そのパルスはＣＰＵ内蔵のカウンタ（図示せず）でカウントされ、読み取りの副走査絶対位置の値として処理される。また、２相のモータエンコーダパルスのうち１相のみはプリスケーラ６２０にてＣＰＵ４２０で指定するべき乗の値に分周され、基準クロックとの比較から速度計算手段としてのＣＰＵ４２０により速度情報に変換される。その速度情報と目標速度を比較し、Ｄ／Ａコンバータ５８０へのディジタル出力を変化させることにより、ＤＣモータ６００の回転速度を制御することができる。
【００７９】
以上のように構成された図１０の制御ブロック図に基づき、図２、図３で説明した本発明に係る画像読取装置の動作を説明する。
【００８０】
図３のプラテン１００に原稿用紙１４０を載置し、原稿カバー７０を閉じた状態で、外部機器４４０より原稿用紙１４０の読み取り命令が出されると、ＣＰＵ４２０はＤ／Ａコンバータ５８０からモータドライバ５９０を制御し、ＤＣモータ６００を回動させ、走査モジュール２２０を読み取り開始位置から読み取り指定解像度で決まる一定速度で副走査読み取り方向へ駆動する。また、ＣＣＤ駆動回路５００によりカラーイメージセンサＣＣＤ３８０の読み取り動作を開始する。
【００８１】
原稿用紙１４０はプラテン１００を通して走査モジュール２２０の光源ランプにより照射され、原稿用紙１４０からの反射光は走査モジュール２２０内部に入射する。入射された原稿用紙１４０からの反射光は、ＣＣＤ３８０上に結像され、電気信号に変換される。
【００８２】
次に、この電気信号への変換について説明する。図１０の水晶発振器５４０から基準クロック信号５５０が水平同期信号生成回路５３０に入力され、この基準クロック信号５５０を分周して水平同期信号５７０が生成される。水平同期信号５７０はＣＣＤ駆動回路５００によりライン同期信号５１０に変換される。実質的にはライン同期信号５１０は水平同期信号５７０と同じである。このライン同期信号５１０の周期を電荷蓄積時間とし、ＣＣＤ３８０の電荷蓄積部に蓄積された電荷を電荷転送部にシフトすると共に、次の周期で電荷転送部内を順次転送させることにより、１ラインの画像データを読み取っている。
【００８３】
１ライン分の画像データは画素クロック５２０によって１画素毎に電気信号としてＲＧＢそれぞれ同時に転送される。その後、ＣＣＤ３８０の出力をアンプ４５０で増幅し、Ａ／Ｄコンバータ４６０でディジタルデータに変換する。そして、一様な濃度の原稿に対して、一様な出力を得るようにシェーディング補正回路４７０によって正規化し、画像データ６３０が得られる。この画像データ６３０はＣＰＵ４２０の書き込み許可に従って、外部機器４４０への転送要求された画像データ６３０のみバッファカウンタ４９０のカウント値を加算しながらバッファメモリ４１０に取り込んでいく。
【００８４】
この動作とは非同期に、コントローラ４３０を介して外部機器４４０へバッファメモリ４１０に取り込まれた画像データ６３０を画像入出力コントローラ４８０により転送する。その際にバッファカウンタ４９０のカウント値は、転送データ数だけ減算していく。
【００８５】
ＤＣモータ６００は、ＣＰＵ４２０より８ビットのディジタルデータの出力値をＤ／Ａコンバータ５８０によりアナログ出力に変換され、モータドライバ５９０によって電流値となり、回転する。その際に、モータエンコーダ６１０よりＤＣモータ６００の回転に伴い、２相のモータエンコーダパルスを発生する。そのモータエンコーダパルスはＣＰＵ４２０内蔵のカウンタでカウントされ、読み取りの副走査絶対位置の値として処理される。
【００８６】
また、２相のモータエンコーダパルスのうち１相のみは、プリスケーラ６２０にてＣＰＵ４２０で指定するべき乗の値に分周され、ＣＰＵ４２０により速度情報に変換される。その速度情報と目標速度を比較し、Ｄ／Ａコンバータ５８０へのディジタル出力を変化させることにより、ＤＣモータ６００の回転速度、即ち走査モジュール２２０の副走査移動速度を制御することができる。
４．ＩＣタグリーダの信号処理
以下、ＩＣタグリーダの信号処理について説明する。図１１は本発明に係る画像読取装置におけるＩＣタグリーダの制御ブロック図である。
【００８７】
図１１において、ＩＣタグリーダ／ライタ６４０は、ＩＣタグ６５０からのデータ読み出しを行うものであり、発振回路部６６０、制御回路部６７０、変復調回路部６８０からなる回路ユニット６９０及びアンテナ７００で構成されている。
【００８８】
ＩＣタグ６５０は、アンテナ７１０と変復調回路部７２０で構成されている。
【００８９】
回路ユニット６９０の発振回路部６６０は、ＩＣタグ６５０と無線通信を行うための搬送波を生成して出力する。
【００９０】
ＩＣタグ６５０にデータを書き込む場合、制御回路部６７０は、発振回路部６６０から出力された搬送波に重畳するデータ信号の入出力制御を行う。変復調回路部６８０は、制御回路部６７０から出力された搬送波とデータ信号を受けて、データ信号に基づいた変調を該搬送波に施してアンテナ７００に出力する。アンテナ７００は変調されたデータを電波にして放出する。ＩＣタグ６５０は、ＩＣタグリーダ／ライタ６４０から送られる電波をアンテナ７１０で受信し、該受信した信号を変復調回路部７２０で復調する。
【００９１】
次に、ＩＣタグリーダ／ライタ６４０がＩＣタグ６５０のデータを読み出す場合について説明する。ＩＣタグリーダ／ライタ６４０からリードコマンドデータがＩＣタグ６５０に送られると、ＩＣタグ６５０は所望のデータを変復調回路部７２０で搬送波に変調を施し、ＩＣタグ６５０のアンテナ７１０から電波にして放出する。ＩＣタグリーダ／ライタ６４０は、該電波をアンテナ７００のアンテナ７３０で受信して、該受信した信号を回路ユニット６９０の変復調回路部６８０で復調し、制御回路部６７０で所望のデータを取り出す。
５．信号入力判定回路の構成
次に、信号入力判定回路の構成について説明する。図１２は本発明に係る画像読取装置における信号入力判定回路ブロック図である。
【００９２】
図１２において、７５０は画像処理部であり、図９で説明した本発明に係る画像読取装置で読み取った画像信号処理を制御する。３９０はＣＣＤ３８０からの出力信号（アナログ信号）をディジタル信号に変換するＡ／Ｄ変換部であり、４００はディジタルデータに対してシェーディング・色補正・解像度変換等の画像処理を施す画像処理部である。４１０はバッファメモリであり、画像データを一時的に保持する。
【００９３】
ＩＣタグリーダ／ライタ６４０は、ＩＣタグ６５０からのデータ読み出しを行うものであり、図１１で説明したものと同様である。ＩＣタグリーダ／ライタ６４０は、発振回路部６６０、制御回路部６７０、変復調回路部６８０からなる回路ユニット６９０及びアンテナ７００で構成されている。
【００９４】
回路ユニット６９０の発振回路部６６０は、ＩＣタグ６５０と無線通信を行うための搬送波を生成して出力する。
【００９５】
ＩＣタグリーダ／ライタ６４０がＩＣタグ６５０のデータを読み出す場合、ＩＣタグリーダ／ライタ６４０からリードコマンドデータが図１１のＩＣタグ６５０に送られると、ＩＣタグ６５０は所望のデータを変復調回路部７２０で搬送波に変調を施し、ＩＣタグ６５０のアンテナ７１０から電波にして放出する。図１２のＩＣタグリーダ／ライタ６４０は、該電波をアンテナ７００のアンテナ７３０で受信して、該受信した信号を回路ユニット６９０の変復調回路部６８０で復調し、制御回路部６７０で所望のデータを取り出す。
【００９６】
信号入力判定部７３０は、画像処理部７５０のバッファメモリ４１０に画像が入力されたことを検知すると共に、ＩＣタグリーダ／ライタ６４０の制御回路部６７０がＩＣタグ６５０から電波を受信したことを検知すると、画像入力検知とＩＣタグ６５０からの電波検知がほぼ同時、若しくは所定以下のタイムラグを以て検知したことを示す検知信号を出力する。
【００９７】
ＣＰＵ７４０は、信号入力判定部７３０が出力した検知信号により、ＩＣタグ６５０が埋め込まれた原稿用紙１４０から画像が読み取られたと判断し、それに応じて画像入出力コントローラ４８０を制御して、バッファメモリ４１０に格納された画像データをプリンタ等の外部機器に出力する。
【００９８】
信号入力判定部７３０で検知信号が出力されたことは、例えば、図５において、ＩＣタグ２８０が埋め込まれた原稿用紙１４０が読み取られたことを意味し、セキュリティ対策のため、原稿用紙１４０の画像を読み取っても、併せてＩＣタグ６５０からの電波を検知しないと、読み取った画像データを出力しない等の処理に用いることができる。その他、パスポート、保険証、免許証などの個人情報が記載された原稿を読み込んだ場合も、併せてそれらに埋め込まれたＩＣタグからの電波を検知しないと、読み取った画像情報を出力しないという処理に用いることができる。
【００９９】
信号入力判定部７３０が検知信号を出力する場合として、先述したように、原稿用紙１４０を読み取った画像データがバッファメモリ４１０に格納されたことと、ＩＣタグリーダ／ライタ６４０がＩＣタグ６５０から電波を受信したこととを、同時に検知した場合の他、所定以内のタイムラグを以て検知した場合がある。
【０１００】
その他、ＩＣタグリーダ／ライタ６４０がＩＣタグ６５０から特定の個人、団体その他特定の情報を受けた場合に信号入力判定部７３０が検知信号を出力する。
【０１０１】
また、逆に、信号入力判定部７３０は、画像処理部７５０のバッファメモリ４１０に画像が入力されたことを検知しても、ＩＣタグリーダ／ライタ６４０の制御回路部６７０がＩＣタグ６５０から所定以内のタイムラグで電波を受信しなかった場合、バッファメモリ４１０に格納された画像データの出力を禁止することを要求する禁止信号を出力する。
【０１０２】
また、信号入力判定部７３０は、画像処理部７５０のバッファメモリ４１０に画像が入力されたことを検知しても、ＩＣタグリーダ／ライタ６４０の制御回路部６７０がＩＣタグ６５０から所定以内のタイムラグで電波を受信しなかった場合、ＩＣタグ６５０が埋め込まれていない原稿用紙１４０の画像情報を読み込んだ、若しくは同一の原稿用紙１４０から原稿画像の読み取り及びＩＣタグ６５０からの受信が行われたものでない、その他の不正な読み取りであると判定し、バッファメモリ４１０に格納された画像データを削除することを要求する削除要求信号を出力する。
【０１０３】
以上説明した通り、本発明に係る画像読取装置は、重要事項、秘密事項が記載された文書を読み取る際、文書に埋め込まれたＩＣタグの情報が取得できた場合に、読み取り動作を可能として、当該文書の画像を読み取り、記憶、出力することができる。
【０１０４】
従って、ＩＣタグが埋め込まれていないか若しくはＩＣタグに不真正情報が記憶されている等の偽造文書等の読み取りを防止することができるという効果を奏する。
【産業上の利用可能性】
【０１０５】
本発明は、電子パスポート、クレジットカード等の重要な機密情報、個人情報が記載された文書を取り扱う業界に提供する画像読取装置の分野に利用できる。
【図面の簡単な説明】
【０１０６】
【図１】本発明に係る画像読取装置の概略を示す斜視図
【図２】本発明に係る画像読取装置の本体から原稿カバー及び自動給紙装置を開いたときの斜視図
【図３】本発明に係る画像読取装置の自動給紙装置と走査モジュールの配置を示す要部の概略縦断面図
【図４】本発明に係る画像読取装置で読み取る原稿媒体を説明する図
【図５】本発明に係る画像読取装置の搬送路に設けられたＩＣタグの説明図
【図６】本発明に係る画像読取装置の搬送路に設けられたＩＣタグの説明図
【図７】本発明に係る画像読取装置を搭載した複合機の概略構成を示す斜視図
【図８】本発明に係る画像読取装置を搭載した複合機の内部構成の一部を示す概略図
【図９】本発明に係る画像読取装置の制御ブロック図
【図１０】本発明に係る画像読取装置の制御ブロック図
【図１１】本発明に係る画像読取装置におけるＩＣタグリーダの制御ブロック図
【図１２】本発明に係る画像読取装置における信号入力判定回路ブロック図
【図１３】従来の画像読み取り装置の概略図
【符号の説明】
【０１０７】
１０    本体
２０    プラテン
３０    自動給紙装置
４０    原稿カバー
５０    走査モジュール
６０    本体
７０    原稿カバー
８０    自動給紙装置
９０    操作パネル
１００    プラテン
１１０    スリット窓
１２０    回収トレイ
１３０    ハウジング
１４０    原稿用紙
１５０    ホッパユニット
１６０    給紙ホッパ
１７０    給紙ローラ
１８０    分離ローラ
１９０    リタードローラ
２００    搬送路
２１０    搬送ローラ
２１５    排紙ローラ
２２０    走査モジュール
２３０    ガイド
２４０    ＩＣタグリーダ
２５０    ＩＣタグリーダ
２６０    ＩＣタグリーダ
２７０    ＩＣダグリーダ
２８０    ＩＣタグ
２９０    アンテナ
３００    複合機
３１０    画像読取装置
３２０    印字装置
３３０    感光体ドラム
３４０    画像形成部
３５０    定着部
３６０    給紙トレイ
３７０    排紙トレイ
３８０    ＣＣＤ
３９０    Ａ／Ｄ変換部
４００    画像処理部
４１０    バッファメモリ
４２０    ＣＰＵ
４３０    コントローラ
４４０    外部機器
４５０    アンプ
４６０    Ａ／Ｄコンバータ
４７０    シェーディング補正回路
４８０    画像入出力コントローラ
４９０    バッファカウンタ
５００    ＣＣＤ駆動回路
５１０    ライン同期信号
５２０    画素クロック
５３０    水平同期信号生成回路
５４０    水晶発振器
５５０    基準クロック信号
５６０    再同期化信号
５７０    水平同期信号
５８０    Ｄ／Ａコンバータ
５９０    モータドライバ
６００    ＤＣモータ
６１０    モータエンコーダ
６２０    プリスケーラ
６３０    画像データ
６４０    ＩＣタグリーダ／ライタ
６５０    ＩＣタグ
６６０    発振回路部
６７０    制御回路部
６８０    変調回路部
６９０    回路ユニット
７００    アンテナ
７１０    アンテナ
７２０    変復調回路部
７３０    信号入力判定部
７４０    ＣＰＵ
７５０    画像処理部
【図１】
2009100341.tif 000003
【図２】
2009100341.tif 000004
【図３】
2009100341.tif 000005
【図４】
2009100341.tif 000006
【図５】
2009100341.tif 000007
【図６】
2009100341.tif 000008
【図７】
2009100341.tif 000009
【図８】
2009100341.tif 000010
【図９】
2009100341.tif 000011
【図１０】
2009100341.tif 000012
【図１１】
2009100341.tif 000013
【図１２】
2009100341.tif 000014
【図１３】
2009100341.tif 000015